(57)【要約】      （修正有）【課題】ゴルフのスイング時に腕と肘に着用するゴルフ用サポータであって、スイング開始時に肘を固定し、スイング終了時付近で肘の屈曲をサポートすることができるゴルフ用サポータを提供する。【解決手段】ゴルフ用サポータは、肘の上腕側を保持する上腕取付部材１１と、肘の前腕側を支持する前腕取付部材１２とを有し、上腕取付部材１１は、上腕側を押さえて保持する固定部１１ａと、前腕取付部材１２と連結する連結部１１ｂとを備え、前腕取付部材１２は、前腕を周回して支持するベルト部１２ａを備える。【選択図】図１
0003201144.tif 000002
【実用新案登録請求の範囲】
【請求項１】
ゴルフのスイング時に腕と肘に着用するゴルフ用サポータであって、
前記肘の上腕側を保持する上腕取付部材と、
前記肘の前腕側を支持する前腕取付部材と
を有し、
前記上腕取付部材は、上腕側を押さえて保持する固定部と、前記前腕取付部材と連結する連結部とを備え、
前記前腕取付部材は、前腕を周回して支持するベルト部を備える、
ことを特徴とするゴルフ用サポータ。
【請求項２】
前記連結部は、一方の細かなかぎ状突起と他方の環状突起を利用した面ファスナである、ことを特徴とする請求項１に記載のゴルフ用サポータ。
【請求項３】
前記連結部は、ゴルフクラブのスイング時で、スイング開始時に連結し、スイング終了時付近で前記肘の屈曲時に分離する、ことを特徴とする請求項１又は請求項２に記載のゴルフ用サポータ。
【考案の詳細な説明】
【技術分野】
【０００１】
本考案は、ゴルフのスイング時に腕と肘に着用するゴルフ用サポータに関する。
【背景技術】
【０００２】
特許文献１では、帯状のベルト本体を膝関節に巻回して固定する膝関節用ゴルフ用サポータであって、前記ベルト本体の膝関節が当接する面に、膝関節の内側上部を押さえる内側パッドと、膝関節の外側下部を押さえる外側パッドを備えたことを特徴とする膝関節用ゴルフ用サポータに関する技術を開示している。
【先行技術文献】
【特許文献】
【０００３】
【特許文献１】特開２０１２−１２０６０２号公報
【考案の概要】
【考案が解決しようとする課題】
【０００４】
しかしながら、特許文献１に開示されている技術では、ゴルフのスイング時に肘に着用する場合に、肘の動きが制限される場合がある。また、特許文献１には、ゴルフのスイング時に肘に着用する場合で、スイング開始時に肘を固定し、スイング終了時付近で肘の屈曲をサポートすることができない場合がある。
【０００５】
本考案は、ゴルフのスイング時に腕と肘に着用するゴルフ用サポータであって、ゴルフのスイング時に肘に着用する場合に、スイング開始時に肘を固定し、スイング終了時付近で肘の屈曲をサポートすることができるゴルフ用サポータを提供することを目的とする。
【課題を解決するための手段】
【０００６】
上記課題を解決するために、本考案の一つの実施形態は、ゴルフのスイング時に腕と肘に着用するゴルフ用サポータであって、前記肘の上腕側を保持する上腕取付部材と、前記肘の前腕側を支持する前腕取付部材とを有し、前記上腕取付部材は、上腕側を押さえて保持する固定部と、前記前腕取付部材と連結する連結部とを備え、前記前腕取付部材は、前腕を周回して支持するベルト部を備える、ことを特徴とするゴルフ用サポータを提供する。
【０００７】
本考案の他の実施形態は、上記のゴルフ用サポータであって、前記連結部は、一方の細かなかぎ状突起と他方の環状突起を利用した面ファスナである、ことを特徴とするゴルフ用サポータであってもよい。
【０００８】
本考案の他の実施形態は、上記のいずれか１つのゴルフ用サポータであって、前記連結部は、ゴルフクラブのスイング時で、スイング開始時に連結し、スイング終了時付近で前記肘の屈曲時に分離する、ことを特徴とするゴルフ用サポータであってもよい。
【考案の効果】
【０００９】
本考案に係るゴルフ用サポータによれば、ゴルフのスイング時に腕と肘に着用する場合に、スイング開始時に腕と肘を固定し、スイング終了時付近で肘の屈曲をサポートすることができる。
【図面の簡単な説明】
【００１０】
【図１】本考案の実施形態に係るゴルフ用サポータの一例を説明する説明図である。
【図２】本考案の実施形態に係るゴルフ用サポータの使用時の例を示す説明図である。
【考案を実施するための形態】
【００１１】
実施形態に係るゴルフ用サポータの例を用いて、本考案を説明する。なお、本考案は、以後に説明するゴルフ用サポータ以外でも、腕と肘をサポート（保護、保持、支持、固定など）するものであって、肘の上腕側と前腕側とを夫々サポートするもの（部品、部材、商品、製品など）であれば、いずれのものにも用いることができる。ここで、本考案に係るゴルフ用サポータの素材、色は、特に限定されない。ゴルフ用サポータの素材は、一定の強度および弾性を有するものであれば特に限定されず、合成樹脂、革、布などを使用することができる。ゴルフ用サポータの色は、透明、半透明、色付きのものであってもよい。ゴルフ用サポータの色は、説明書きを付記したもの、使用者（消費者）の趣味趣向に合わせた柄のものであってもよい。ゴルフ用サポータの形状の隅部は、角ばっていてもよく、丸みを帯びていてもよい。
【００１２】
以後に、本考案を説明する。
【００１３】
図１及び図２を用いて、本考案の実施形態に係るゴルフ用サポータの構成を説明する。ここで、図１は、本考案の実施形態に係るゴルフ用サポータの一例を説明する説明図である。図２は、本考案の実施形態に係るゴルフ用サポータの使用時の一例を示す説明図である。なお、図１等に示すゴルフ用サポータの構成等は一例であり、本考案は図１等に示すゴルフ用サポータ等に限定されるものではない。
【００１４】
図１に示すように、本考案に係るゴルフ用サポータ１００は、ゴルフのスイング時に腕と肘に着用するものであって、肘関節を保護（固定、保持、支持、補強、サポートなど）するために、肘関節の近傍に取り付けるものである。ゴルフ用サポータ１００は、ゴルフのスイング時に左肘及び／又は右肘に着用する。
【００１５】
これにより、本考案に係るゴルフ用サポータ１００によれば、腰を３０度回転する場合および肩を９０度回転する場合に、理想的なテークバックおよび股関節への体重の移動に役立つ。また、本考案に係るゴルフ用サポータ１００によれば、左上腕と左前腕とが一直線となり（または右上腕と右前腕とが一直線となり）、大きな軌道と最大限のトップの高さをサポートし、トップから切り返しのタイミングが掴めるので、グリップを体軸から遠くにできる。更に、本考案に係るゴルフ用サポータ１００によれば、肘関節を保護（固定、保持、支持、補強、サポートなど）できるので、ボールにヒット後も両腕で三角形状を保って、ヘッドを飛球線方向に向けるのに役立つ。
【００１６】
ゴルフ用サポータ１００によれば、スイング時に、例えば右腰で押し込み（左足での踏ん張り）、手首のローテーションを使わずに右腕を伸ばして両腕で作った三角形を出来るだけ保つ（この時右腰股関節上部の押込みが必要）ことにより、いわゆる「ヘッド  ビハイン  ザ  ボール」の形となり、上半身が目標に向くなどの効果もある。また、ゴルフ用サポータ１００によれば、スイング時に、例えば上級者の様なフィニッシュでの三角形・左足で、左足裏で飛球方向（左足の後ろ踵では無い）への体重移動が容易になり、いわゆる「ヘッド  ビハイン  ザ  ボール」で飛距離が伸びる。また、ゴルフ用サポータ１００によれば、スイング時に、例えばオンプレーンのスイングづくり、フェースのライ角の向きがクラブ通りに保て、高いボールが打て、これらを意識することでタイミング・リズムが自分のもので作れるなどの効果がある。
【００１７】
図１に示すように、ゴルフ用サポータ１００は、肘の上腕側を保持する上腕取付部材１１と、肘の前腕側を支持する前腕取付部材１２とを有する。ゴルフ用サポータ１００は、上腕取付部材１１は、本実施形態では、上腕側を押さえて保持する固定部１１ａと、前腕取付部材１２と連結する連結部１１ｂとを備える。前腕取付部材１２は、前腕を周回して支持するベルト部１２ａを備える。
【００１８】
本考案に係る上腕取付部材１１は、特に限定されないが、合成樹脂製を用いることができる。固定部１１ａ（上腕取付部材１１）は、例えばＰＥＴ樹脂で成形し、周りを布で包んでもよい。連結部１１ｂ（上腕取付部材１１）は、例えば面ファスナや鳩目（ハトメ）を用いることができる。ここで、面ファスナとは、かぎ状突起と環状突起とで一組みとなった留め具（一方に細かなかぎ状突起を他方に環状突起を密に植えたもの、一対の布からなり、２枚を合わせて軽く押さえるだけでかぎ状と環状とがからみ合うようにして密着するもの）である。鳩目（ハトメ）とは、靴・衣類・紙などに紐を通す穴に取り付ける環状の金具（グロメットなど）である。本考案に係るベルト部１２ａ（前腕取付部材１２）は、特に限定されないが、例えば厚手の布を用いることができる。
【００１９】
なお、本考案に係る上腕取付部材１１及び前腕取付部材１２は、シート状の形状であってもよい。また、本考案に係る上腕取付部材１１及び前腕取付部材１２の厚さは、特に限定されないが、肘や関節の運動に影響を与えない０．１ｍｍから１０ｍｍの間であることが好ましい。
【００２０】
図２を用いて、本考案に係るゴルフ用サポータの使用例を説明する。図２に示すように、本考案に係るゴルフ用サポータは、ゴルフのスイング時に肘（左肘または右肘）に着用するものである。
【００２１】
図２に示すように、本考案に係るゴルフ用サポータ１００は、ゴルフクラブのスイング時（図中のＭａ）で、スイング開始時に、連結部（図１の１１ｂ）を用いて上腕取付部材１１と前腕取付部材１２とが連結されている。次に、ゴルフ用サポータ１００によれば、ゴルフクラブのスイング中（図中のＭａからＭｂ、Ｍｃ）で、肘を保護（例えば固定）している。その後、ゴルフ用サポータ１００によれば、ゴルフクラブのスイング終了時付近（例えば肘の屈曲時、図中のＭｃ以後またはＭｄ）に、連結部（図１の１１ｂ）を用いて上腕取付部材１１と前腕取付部材１２とを分離する。このとき、ゴルフ用サポータ１００は、分離時に、上腕取付部材１１と前腕取付部材１２とが外れる音を発するものであってもよい。
【００２２】
これにより、本考案に係るゴルフ用サポータ１００によれば、スイング中の肘を保護（例えば固定）することができる。また、本考案の実施形態に係るゴルフ用サポータ１００によれば、使用者の肘が伸び、腕が体の幅の中に在って水平位置まで上がり、使用者が体重を股関節に置いて、力まずに右腰リードで腰を押し出すように、腕の三角形を崩さない事を意識できる。このため、本考案に係るゴルフ用サポータ１００によれば、ゴルフのスイングで、素早いスムーズな回転が生まれ、ライ角通りの真直ぐなボールを打つことに役立つ。  
【００２３】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２４】
１００  ：  ゴルフ用サポータ
１１  ：  上腕取付部材
１１ａ：  固定部
１１ｂ：  連結部（面ファスナなど）
１２  ：  前腕取付部材
１２ａ：  ベルト部
Ｍａ,Ｍｂ,Ｍｃ,Ｍｄ：  スイング位置
【図１】
0003201144.tif 000003
【図２】
0003201144.tif 000004